(57)【要約】【課題】  単純な構造で使用者の腰を運動させることができる運動具を提供すること。【解決手段】  本体２と座体３とを有し、この座体３に着座した使用者を運動させる運動具１であって、前記座体３を、上下動可能な左右作動体１５，１４で構成し、これらの左右作動体１５，１４の双方が上位置にあってそれぞれに人体の左右の臀部を載せた状態から、人体の姿勢を崩すように、前記左右作動体１５，１４を片側ずつ下動させることで、前記運動具１を単純な上下動を行う左右作動体１５，１４を有する単純な構造にすることができると共に、一方の臀部の支えを失った使用者が姿勢を保とうとすることで、臀部及びその周辺の筋肉が収縮と弛緩を繰り返すので、使用者の臀部及びその周辺の筋肉を鍛えることができる。【選択図】図４
2007195585.tif 000002
【特許請求の範囲】
【請求項１】
本体と座体とを有し、この座体に着座した使用者の運動のために前記座体が作動する運動具において、前記座体が、ぞれぞれ人体の左右の臀部が載せられて上下動する左作動体及び右作動体とで構成されると共に、前記左作動体と右作動体の双方が上位置にある状態から、前記左作動体と右作動体を片側ずつ独立して下動可能に構成したことを特徴とする運動具。
【請求項２】
本体と座体とを有し、この座体に着座した使用者の運動のために前記座体が作動する運動具において、前記座体が、ぞれぞれ人体の臀部等が載せられて上下動する前後及び左右に分割された複数の作動体で構成されると共に、前記各作動体が上位置にある状態から、前記各作動体を独立して下動可能に構成したことを特徴とする運動具。
【請求項３】
前記本体内に流体ポンプを設けると共に、前記各作動体が流体室を有することを特徴とする請求項１乃至２に記載の運動具。
【請求項４】
前記本体が腰保持部を有することを特徴とする請求項１乃至３に記載の運動具。
【発明の詳細な説明】
【技術分野】
【０００１】
本発明は、腰掛けた状態の人体の姿勢を崩すことで、人体の特定部位に負荷をかける運動具に関するものである。
【背景技術】
【０００２】
従来、この種のものとして、本体内にモータを設け、このモータの回転を円筒カムによって座席部材（本願発明の座体に相当する）を揺動させる運動補助具が知られている（例えば、特許文献１参照。）。そして、このような運動補助具では、使用者が腰掛けた前記座席部材を揺動させることで、前記座席部材に腰掛けた使用者の腰を運動させることができる。
【特許文献１】特開２００５−２４５５９０号公報
【発明の開示】
【発明が解決しようとする課題】
【０００３】
しかしながら、このような運動具においては、使用者の体重を支えながら座席部材を揺動させなければならないので、構造が複雑になりがちであるという傾向があった。なお、特許文献１では、構造の単純化が図られているものの、まだ不十分であった。
【０００４】
本発明は以上の問題点を解決し、単純な構造で使用者の腰を運動させることができる運動具を提供することを目的とする。
【課題を解決するための手段】
【０００５】
本発明の請求項１に記載の運動具は、本体と座体とを有し、この座体に着座した使用者の運動のために前記座体が作動する運動具において、前記座体が、ぞれぞれ人体の左右の臀部が載せられて上下動する左作動体及び右作動体とで構成されると共に、前記左作動体と右作動体の双方が上位置にある状態から、人体の姿勢を崩すように、前記左作動体と右作動体を独立して下動可能に構成したものである。
【０００６】
また、本発明の請求項２に記載の運動具は、本体と座体とを有し、この座体に着座した使用者の運動のために前記座体が作動する運動具において、前記座体が、ぞれぞれ人体の臀部等が載せられて上下動する前後及び左右に分割された複数の作動体で構成されると共に、前記各作動体が上位置にある状態から、前記各作動体を独立して下動可能に構成したものである。
【０００７】
また、本発明の請求項３に記載の運動具は、請求項１乃至２において、前記本体内に流体ポンプを設けると共に、前記各作動体が流体室を有するものである。
【０００８】
更に、本発明の請求項４に記載の運動具は、請求項１乃至３において、前記本体が腰保持部を有するものである。
【発明の効果】
【０００９】
本発明の請求項１に記載の運動具は、以上のように構成することにより、単純な上下動を行う作動体を有する単純な構造にすることができる。また、右臀部が右作動体の上に、左臀部が左作動体の上に載るように、使用者が上位置にある状態の座体に座り、右作動体と左作動体を独立して下動させることで、使用者の姿勢が崩れるが、使用者が姿勢を保とうとすることで臀部及びその周辺の筋肉が収縮と弛緩を繰り返すので、臀部及びその周辺の筋肉を鍛えることができる。
【００１０】
また、本発明の請求項２に記載の運動具は、以上のように構成することにより、単純な上下動を行う作動体を有する単純な構造にすることができるばかりでなく、単純な構造でありながら前記座体を複雑に作動させることができる。また、右臀部等が右側の作動体の上に、左臀部等が左側の作動体の上に載るように、使用者が上位置にある状態の座体に座り、前後及び左右に分割されて設けられた前記各作動体を独立して下動させることで、使用者の姿勢が崩れるが、使用者が姿勢を保とうとすることで臀部及びその周辺の筋肉が収縮と弛緩を繰り返すので、臀部及びその周辺の筋肉を鍛えることができる。
【００１１】
また、前記流体ポンプによって送られる流体を前記各作動体の流体室に送ることで前記各作動体を上下動させる構造とすることで、運動具をより単純な構造にすることができる。
【００１２】
更に、前記本体に腰保持部を設けることで、使用者が姿勢を崩しすぎて倒れてしまわないようにすることができる。
【発明を実施するための最良の形態】
【００１３】
以下、本発明の第一の実施形態について、図１乃至図４に基づいて説明する。１は本発明の運動具である。この運動具１は、本体２と座体３とを有して構成されている。そして、前記本体２は、基部４と、この基部４の後方から側方にかけて略Ｃ字状に設けられた腰保持基部５とを有して構成されている。また、前記基部４及び腰保持基部５の下方には、脚部６が設けられている。そして、前記腰保持基部５には、使用者の腰の後部が押し当てられるクッション部７が着脱自在に取り付けられている。また、前記腰保持基部５には、膨張することによって使用者の腰の左右側部に押し当てられる腰保持作動部８，９が左右一対設けられている。なお、この腰保持作動部８，９のカバー部１０，１１の内部には、それぞれ袋体１２，１３が設けられている。
【００１４】
前記基部４の上面には、前記座体３が設けられている。この座体３は、それぞれ独立した右作動体１４と左作動体１５とを有して構成されている。なお、これら右作動体１４と左作動体１５は、それぞれ使用者の右臀部及び左臀部が載るように構成されている。また、前記各作動体１４，１５のカバー部１６，１７の内部には、それぞれ流体室としての袋体１８，１９が設けられている。更に、前記基部４の内部には、流体ポンプとしての電動エアポンプ２０及びこの電動エアポンプ２０と前記袋体１２，１３，１８，１９を接続する配管経路２１が設けられている。なお、この配管経路２１は、本管２２と、この本管２２に接続された分岐部２３と、この分岐部２３と前記各袋体１２，１３，１８，１９とを接続する支管２４，２５，２６，２７とを有して構成されている。また、前記各支管２４〜２７には、それぞれ電磁弁２８が設けられている。なお、この電磁弁２８は三方弁となっており、前記電動エアポンプ２０と袋体１２，１３，１８，１９を接続する状態と、前記袋体１２，１３，１８，１９を外部に開放する状態とに切り換えられるように構成されている。更に、前記基部４内には、前記電動エアポンプ２０及び電磁弁２８を制御するための制御回路２９が設けられている。そして、前記電動エアポンプ２０、本管２２、分岐部２３、支管２５、袋体１８及び電磁弁２８によって、前記右作動体１４が構成されると共に、前記電動エアポンプ２０、本管２２、分岐部２３、支管２６、袋体１９及び電磁弁２８によって、前記左作動体１５が構成される。また、前記電動エアポンプ２０、本管２２、分岐部２３、支管２４、袋体１２及び電磁弁２８によって、前記腰保持作動部８が構成されると共に、前記電動エアポンプ２０、本管２２、分岐部２３、支管２７、袋体１３及び電磁弁２８によって、前記左作動体９が構成される。更に、前記腰保持基部５、クッション部７、腰保持作動部８，９によって、腰保持部３０が構成される。なお、３１はリモコンボックスであり、このリモコンボックス３１に操作部３２が設けられている。
【００１５】
次に、本実施形態の作用について説明する。まず、使用者は前記運動具１を床等の適宜の場所に設置し、図示しない電源プラグを図示しない交流電源に接続する。そして、使用者は前記運動具１の座体３に腰掛ける。なお、この場合、使用者は両脚を前方に伸ばした姿勢で前記座体３に腰掛ける。そして、使用者が前記リモコンボックス３１を把持し、操作部３２を操作することで、前記運動具１は作動する。
【００１６】
そして、使用者が操作部３２を操作し、前記腰保持部３０を構成する左右一対の前記腰保持作動部８，９を作動させる。即ち、前記操作部３２を操作することで、前記制御回路２９によって前記電動エアポンプ２０及び電磁弁２８が作動し、前記電動エアポンプ２０によって圧縮された空気が前記本管２２、分岐部２３、電磁弁２８，支管２４，２７を経て前記袋体１２，１３に流入し、図４に示すように、前記袋体１２，１３が膨張する。なお、図４のグラフでは、上方ほど前記袋体１２，１３が膨張した状態である。そして、前記袋体１２，１３が膨張することで、左右一対の前記腰保持作動部８，９によって使用者の腰が側方から挟まれて保持されることになる。
【００１７】
そして、使用者が操作部３２を操作し、前記座体３を構成する独立した右作動体１４と左作動体１５を作動させる。即ち、前記操作部３２を操作することで、前記制御回路２９によって前記電動エアポンプ２０及び電磁弁２８が作動し、前記電動エアポンプ２０によって圧縮された空気が前記本管２２、分岐部２３、電磁弁２８，支管２５，２６を経て前記袋体１８，１９に流入し、図４に示すように、前記袋体１８，１９が膨張する。なお、図４のグラフでは、上方ほど前記袋体１８，１９が膨張した状態、即ち前記各作動体１４，１５の座面が高い位置ということになる。そして、前記袋体１８，１９が膨張することで、左右一対の独立した前記右作動体１４と左作動体１５によって、使用者の腰が下方から持ち上げられることになる（上位置）。そして、この状態から、前記制御回路２９によって前記電磁弁２８が開放状態に切り換えられることで、前記袋体１８，１９のうちの一方（本実施形態の場合は右作動体１４の袋体１８）から空気が排出され、前記右作動体１４が下動する。なお、前記左作動体１５の袋体１９は膨張状態を保ち続けるので、上位置が保たれる。そして、前記右作動体１４が下動し、前記左作動体１５が上位置であり続けることで、使用者の左臀部が前記左作動体１５によって支えられ続ける一方、右臀部の支えがなくなるので、使用者の姿勢が崩れることになる。この際、使用者が姿勢を保とうとすることで、使用者の臀部や腿や体側の筋肉に負荷が加わり緊張するので、臀部及びその周辺の筋肉を鍛えることができる。なお、前述したように、使用者の腰が左右一対の前記腰保持作動部８，９によって側方から挟まれて保持されているので、使用者が姿勢を崩しすぎて倒れてしまうことが防止される。そして、この状態から、前記制御回路２９によって前記電磁弁２８が連通状態に切り換えられると共に前記電動エアポンプ２０によって圧縮空気が前記袋体１８に送られることで、前記右作動体１４が上動し、上位置となる。この際、使用者の右臀部は下方から持ち上げられて再び支えられることになる。そして、この状態から、前記制御回路２９によって前記電磁弁２８が開放状態に切り換えられることで、前記左作動体１５の袋体１９から空気が排出され、前記左作動体１５が下動する。この際、使用者が姿勢を保とうとすることで、前記右作動体１４が下動した場合とは左右逆の筋肉に負荷が加わり緊張するので、臀部及びその周辺の筋肉を鍛えることができる。そして、この状態から、前記制御回路２９によって前記電磁弁２８が連通状態に切り換えられると共に前記電動エアポンプ２０によって圧縮空気が前記袋体１９に送られることで、前記左作動体１５が上動し、上位置となり、使用者の左臀部が下方から持ち上げられて再び支えられることになる。そして、これらの動作が繰り返されることで、使用者の臀部及びその周辺の筋肉が左右均等に鍛えられる。
【００１８】
以上のように本発明は、本体２と座体３とを有し、この座体３に着座した使用者を運動させる運動具１であって、前記座体３を、上下動可能な左右作動体１５，１４で構成し、これらの左右作動体１５，１４の双方が上位置にあってそれぞれに人体の左右の臀部を載せた状態から、人体の姿勢を崩すように、前記左右作動体１５，１４を片側ずつ下動させることで、前記運動具１を単純な上下動を行う左右作動体１５，１４を有する単純な構造にすることができると共に、一方の臀部の支えを失った使用者が姿勢を保とうとすることで、臀部及びその周辺の筋肉が収縮と弛緩を繰り返すので、使用者の臀部及びその周辺の筋肉を鍛えることができるものである。
【００１９】
また、前記本体１内に流体ポンプとしての電動エアポンプ２０を設け、この電動エアポンプ２０から送られる圧縮空気によって前記左右作動体１５，１４の流体室としての袋体１８，１９を膨張／収縮させることで前記左右作動体１５，１４を上下動させる構造とすることで、前記運動具１をより単純な構造にすることができるものである。更に、前記本体２に腰保持部３０を設けることで、使用者が姿勢を崩しすぎて倒れてしまわないようにすることができる。
【００２０】
次に、本発明の第二の実施形態について、図５及び図９に基づいて説明する。なお、上記第一の実施形態と共通する部分については共通の符号を付し、その説明を省略する。４１は本発明の運動具である。この運動具４１は、本体４２と座体４３とを有して構成されている。そして、前記本体４２は、基部４４と、この基部４４の後方から側方にかけて略Ｃ字状に設けられた腰保持基部５とを有して構成されている。前記基部４４の上面には、前記座体４３が設けられている。この座体４３は、それぞれ独立した右前作動体４５、右後作動体４６、左前作動体４７、及び左後作動体４８とを有して構成されている。なお、前記右前後作動体４５，４６と左前後作動体４７，４８は、それぞれ使用者の右臀部及び左臀部が載るように構成されている。また、前記各作動体４５〜４８のカバー部４９，５０，５１，５２の内部には、それぞれ流体室としての袋体５３，５４，５５，５６が設けられている。更に、前記基部４４の内部には、流体ポンプとしての電動エアポンプ２０及びこの電動エアポンプ２０と前記袋体１２，１３，５３〜５６を接続する配管経路５７が設けられている。なお、この配管経路５７は、本管２２と、この本管２２に接続された分岐部５８と、この分岐部５８と前記各袋体１２，１３，５３〜５６とを接続する支管２４，２５，５９，６０，６１，６２とを有して構成されている。また、前記各支管２４，２５，５９〜６２には、それぞれ電磁弁２８が設けられている。なお、この電磁弁２８は三方弁となっており、前記電動エアポンプ２０と袋体１２，１３，５３〜５６を接続する状態と、前記袋体１２，１３，５３〜５６を外部に開放する状態とに切り換えられるように構成されている。更に、前記基部４４内には、前記電動エアポンプ２０及び電磁弁２８を制御するための制御回路２９が設けられている。そして、前記電動エアポンプ２０、本管２２、分岐部５８、支管５９、袋体５３及び電磁弁２８によって、前記右前作動体４５が構成され、そして、前記電動エアポンプ２０、本管２２、分岐部５８、支管６０、袋体５４及び電磁弁２８によって、前記右後作動体４６が構成され、そして、前記電動エアポンプ２０、本管２２、分岐部５８、支管６１、袋体５５及び電磁弁２８によって、前記左前作動体４７が構成されると共に、前記電動エアポンプ２０、本管２２、分岐部５８、支管６２、袋体５６及び電磁弁２８によって、前記左後作動体４８が構成される。また、前記電動エアポンプ２０、本管２２、分岐部５８、支管２４、袋体１２及び電磁弁２８によって、前記腰保持作動部８が構成されると共に、前記電動エアポンプ２０、本管２２、分岐部５８、支管２７、袋体１３及び電磁弁２８によって、前記左作動体９が構成される。
【００２１】
次に、本実施形態の作用について説明する。まず、使用者は前記運動具４１を床等の適宜の場所に設置し、図示しない電源プラグを図示しない交流電源に接続する。そして、使用者は前記運動具４１の座体４３に腰掛ける。なお、この場合、使用者は両脚を前方に伸ばした姿勢で前記座体４３に腰掛ける。そして、使用者が前記リモコンボックス３１を把持し、操作部３２を操作することで、前記運動具４１は作動する。
【００２２】
そして、使用者が操作部３２を操作し、前記腰保持部３０を構成する左右一対の前記腰保持作動部８，９を作動させる。即ち、前記操作部３２を操作することで、前記制御回路２９によって前記電動エアポンプ２０及び電磁弁２８が作動し、前記電動エアポンプ２０によって圧縮された空気が前記本管２２、分岐部５８、電磁弁２８，支管２４，２７を経て前記袋体１２，１３に流入し、図７に示すように、前記袋体１２，１３が膨張する。なお、図７のグラフでは、上方ほど前記袋体１２，１３が膨張した状態である。そして、前記袋体１２，１３が膨張することで、左右一対の前記腰保持作動部８，９によって使用者の腰が側方から挟まれて保持されることになる。
【００２３】
そして、使用者が操作部３２を操作し、前記座体４３を構成する独立した右前作動体４５、右後作動体４６、左前作動体４７、左後作動体４８を作動させる。即ち、前記操作部３２を操作することで、前記制御回路２９によって前記電動エアポンプ２０及び電磁弁２８が作動し、前記電動エアポンプ２０によって圧縮された空気が前記本管２２、分岐部５８、電磁弁２８，支管５９〜６２を経て前記袋体５３〜５６に流入し、図７に示すように、前記袋体５３〜５６が膨張する。なお、図７のグラフでは、上方ほど前記袋体５３〜５６が膨張した状態、即ち前記各作動体４５〜４８の座面が高い位置ということになる。そして、前記袋体５３〜５６が膨張することで、独立した前記右前作動体４５、右後作動体４６、左前作動体４７、左後作動体４８によって、使用者の腰が下方から持ち上げられることになる（上位置）。そして、この状態から、前記制御回路２９によって前記電磁弁２８が開放状態に切り換えられることで、前記袋体５３〜５６のうちの何れか（本実施形態の場合は右前後作動体４５，４６の袋体５３，５４）から空気が排出され、前記右前後作動体４５，４６が下動する。なお、前記左前後作動体４７，４８の袋体５５，５６は膨張状態を保ち続けるので、上位置が保たれる。そして、前記右前後作動体４５，４６が下動し、前記左前後作動体４７，４８が上位置であり続けることで、使用者の左臀部が前記左作動体４７，４８によって支えられ続ける一方、右臀部の支えがなくなるので、使用者の姿勢が崩れることになる。この際、使用者が姿勢を保とうとすることで、使用者の臀部や腿や体側の筋肉に負荷が加わり緊張するので、臀部及びその周辺の筋肉を鍛えることができる。なお、前述したように、使用者の腰が左右一対の前記腰保持作動部８，９によって側方から挟まれて保持されているので、使用者が姿勢を崩しすぎて倒れてしまうことが防止される。そして、この状態から、前記制御回路２９によって前記電磁弁２８が連通状態に切り換えられると共に前記電動エアポンプ２０によって圧縮空気が前記袋体５３，５４に送られることで、前記右前後作動体４５，４６が上動し、上位置となる。この際、使用者の右臀部は下方から持ち上げられて再び支えられることになる。そして、この状態から、前記制御回路２９によって前記電磁弁２８が開放状態に切り換えられることで、前記左前後作動体４７，４８の袋体５５，５６から空気が排出され、前記左前後作動体４７，４８が下動する。この際、使用者が姿勢を保とうとすることで、前記右前後作動体４５，４６が下動した場合とは左右逆の筋肉に負荷が加わり緊張するので、臀部及びその周辺の筋肉を鍛えることができる。そして、この状態から、前記制御回路２９によって前記電磁弁２８が連通状態に切り換えられると共に前記電動エアポンプ２０によって圧縮空気が前記袋体５５，５６に送られることで、前記左前後作動体４７，４８が上動し、上位置となり、使用者の左臀部が下方から持ち上げられて再び支えられることになる。そして、これらの動作が繰り返されることで、使用者の臀部及びその周辺の筋肉が左右均等に鍛えられる。
【００２４】
なお、本実施形態では、前記右前作動体４５と右後作動体４６とが独立して下動可能であると共に、前記左前作動体４７と左後作動体４８とが独立して下動可能であるので、より複雑な動作を行わせることができる。例えば、図８に示すように、まず前記右前作動体４５以外を下動させ、次に前記左後作動体４８以外を下動させ、次に前記右後作動体４６以外を下動させ、次に前記左前作動体４７以外を下動させる、という動作を繰り返すようにしてもよい。また、図９に示すように、まず右前後作動体４５，４６を下動させ、次に両前作動体４５，４７を下動させ、次に左前後作動体４７，４８を下動させ、次に両後作動体４６，４８を稼働させる、という動作を繰り返すようにしてもよい。また、図８及び図９に示されるような動作において、下動させる順序は適宜選択できる。更に、前記各作動体４５〜４８をランダムに下動させるようにしてもよい。そして、これらの動作では、何れも臀部の支えを失った使用者が姿勢を保とうとすることで臀部及びその周辺の筋肉が収縮と弛緩を繰り返し、これによって臀部及びその周辺の筋肉を鍛えるものである。
【００２５】
以上のように本発明は、本体４２と座体４３とを有し、この座体４３に着座した使用者を運動させる運動具４１であって、前記座体４３を、上下動可能な右前後作動体４５，４６及び左前後作動体４７，４８で構成し、これらの作動体４５〜４８の双方が上位置にあってそれぞれに人体の臀部を載せた状態から、人体の姿勢を崩すように、前記各作動体４５〜４８を片側ずつ下動させることで、前記運動具４１を単純な上下動を行う各作動体４５〜４８を有する単純な構造にすることができると共に、臀部の支えを失った使用者が姿勢を保とうとすることで、臀部及びその周辺の筋肉が収縮と弛緩を繰り返すので、使用者の臀部の筋肉を鍛えることができるものである。
【００２６】
また、右側の作動体を右前作動体４５と右後作動体４６とで構成し、左側の作動体を左前作動体４７と左後作動体４７とで構成し、それぞれが独立して下動可能に構成されていることで、単純な構造でありながら前記座体４３を複雑に作動させることができる。また、前記本体４１内に流体ポンプとしての電動エアポンプ２０を設け、この電動エアポンプ２０から送られる圧縮空気によって前記各作動体４５〜４８の流体室としての袋体５３〜５６を膨張／収縮させることで前記各作動体４５〜４８を上下動させる構造とすることで、前記運動具４１をより単純な構造にすることができるものである。更に、前記本体４２に腰保持部３０を設けることで、使用者が姿勢を崩しすぎて倒れてしまわないようにすることができる。
【００２７】
なお、本発明は以上の実施形態に限定されるものではなく、発明の要旨の範囲内で種々の変形実施が可能である。例えば、上記各実施形態では、各作動体として空気圧式の作動体を用いたが、これ以外の作動体、例えば油圧式の作動体を用いてもよく、また、機械式の作動体を用いてもよい。また、上記各実施形態では、流体室として袋体を用いたが、シリンダ式の流体室を用いてもよい。更に、上記第二の実施形態では、前記座体を前後及び左右にそれぞれ二分割、合計で四分割された作動体で構成したが、これ以上の数に分割してもよい。
【図面の簡単な説明】
【００２８】
【図１】本発明の第一の実施形態を示す運動具の正面図である。
【図２】同上、平面図である。
【図３】同上、配管図である。
【図４】同上、動作説明図である。
【図５】本発明の第二の実施形態を示す運動具の平面図である。
【図６】同上、配管図である。
【図７】同上、動作説明図である。
【図８】同上、他の動作説明図である。
【図９】同上、更に他の動作説明図である。
【符号の説明】
【００２９】
１，４１  運動具
２，４２  本体
３，４３  座体
１４  右作動体
１５  左作動体
１８，１９，５３〜５６  袋体（流体室）
２０  電動エアポンプ（流体ポンプ）
３０  腰保持部
４５  右前作動体
４６  右後作動体
４７  左前作動体
４８  左後作動体
【図１】
2007195585.tif 000003
【図２】
2007195585.tif 000004
【図３】
2007195585.tif 000005
【図４】
2007195585.tif 000006
【図５】
2007195585.tif 000007
【図６】
2007195585.tif 000008
【図７】
2007195585.tif 000009
【図８】
2007195585.tif 000010
【図９】
2007195585.tif 000011